(57)【要約】【課題】情報を記憶する記憶容量をより抑制して情報を提供する。【解決手段】プリンター２０は、携帯機器の画面サイズ用の第１カスケーディングスタイルシート（ＣＳＳ）３１とＰＣの画面サイズ用の第２ＣＳＳ３２と、第１ＣＳＳ３１及び第２ＣＳＳ３２に共通して用いられるＨＴＭＬデータ３３と、を記憶しており、ＨＴＭＬデータ３３を端末機器へ送信する表示情報送信処理を実行する。また、第１ＣＳＳ３１及び第２ＣＳＳ３２のいずれを適用するかを特定する特定情報を含むレイアウト要求情報を端末機器から受信すると、この受信したレイアウト要求情報に応じて第１ＣＳＳ３１及び第２ＣＳＳ３２のうち一方を端末機器へ送信するレイアウト送信処理を実行する。このように、端末機器の画面サイズに応じた複数のＣＳＳ（レイアウト情報）を記憶すると共に、複数のＣＳＳに共通して用いられるＨＴＭＬデータを記憶する。【選択図】図１
2014035555.tif 000002
【特許請求の範囲】
【請求項１】
端末機器へ情報を送信する送信手段と、
端末機器から情報を受信する受信手段と、
第１の画面サイズ用の第１レイアウト情報と、前記第１の画面サイズとは異なる第２の画面サイズ用の第２レイアウト情報と、文章構造を含み前記第１レイアウト情報及び前記第２レイアウト情報に共通して用いられる表示情報と、を記憶する記憶手段と、
前記表示情報を前記送信手段により前記端末機器へ送信する表示情報送信処理と、前記端末機器の画面サイズに関するサイズ情報と前記第１レイアウト情報及び前記第２レイアウト情報のいずれを適用するかを特定する特定情報とのうち少なくとも一方を含むレイアウト要求情報を前記端末機器から前記受信手段が受信すると該受信したレイアウト要求情報に基づいて前記第１レイアウト情報及び前記第２レイアウト情報のうち一方を前記送信手段により前記端末機器へ送信するレイアウト送信処理と、を実行する制御手段と、
を備えた情報処理装置。
【請求項２】
前記制御手段は、前記第１レイアウト情報及び前記第２レイアウト情報のいずれを適用するかを判定させる判定要求情報を前記端末機器へ送信したのち、前記特定情報を含む前記レイアウト要求情報を前記端末機器から受信すると、該受信した特定情報に応じて前記第１レイアウト情報及び前記第２レイアウト情報のうち一方を前記端末機器へ送信する、請求項１に記載の情報処理装置。
【請求項３】
前記制御手段は、前記判定要求情報を前記表示情報と共に前記端末機器へ送信する前記表示情報送信処理を実行する、請求項２に記載の情報処理装置。
【請求項４】
前記制御手段は、前記端末機器の画面サイズを問い合わせる問合せ情報を前記端末機器へ送信したのち、前記サイズ情報を含む前記レイアウト要求情報を前記端末機器から受信すると、該受信したサイズ情報に基づいて前記第１レイアウト情報及び前記第２レイアウト情報のいずれを適用するかを判定し、該判定結果に応じて前記第１レイアウト情報及び前記第２レイアウト情報のうち一方を前記端末機器へ送信する、請求項１に記載の情報処理装置。
【請求項５】
前記制御手段は、クッキー情報及びマークアップ言語で記述された記述データのうち少なくとも一方を用いて前記問合せ情報を前記端末機器へ送信する、請求項４に記載の情報処理装置。
【請求項６】
前記記憶手段は、前記表示情報としてマークアップ言語で記述された記述データを記憶し、前記第１レイアウト情報及び前記第２レイアウト情報としてカスケーディングスタイルシートを記憶している、請求項１〜５のいずれか１項に記載の情報処理装置。
【請求項７】
請求項１〜６のいずれか１項に記載の情報処理装置であって、
画像を印刷媒体に印刷処理する印刷処理手段、を備えた情報処理装置。
【請求項８】
第１の画面サイズ用の第１レイアウト情報と、前記第１の画面サイズとは異なる第２の画面サイズ用の第２レイアウト情報と、文章構造を含み前記第１レイアウト情報及び前記第２レイアウト情報に共通して用いられる表示情報と、を記憶する記憶手段、を備えた情報処理装置により実行される情報処理方法であって、
（ａ）前記表示情報を端末機器へ送信する表示情報送信処理を実行するステップと、
（ｂ）端末機器の画面サイズに関するサイズ情報と、前記第１レイアウト情報及び前記第２レイアウト情報のいずれを適用するかを特定する特定情報とのうち少なくとも一方を含むレイアウト要求情報を前記端末機器から受信すると該受信したレイアウト要求情報に基づいて前記第１レイアウト情報及び前記第２レイアウト情報のうち一方を前記端末機器へ送信するレイアウト送信処理を実行するステップと、
を含む情報処理方法。
【請求項９】
請求項８に記載の情報処理方法の各ステップを１以上のコンピューターが実行する、プログラム。
【発明の詳細な説明】
【技術分野】
【０００１】
本発明は、情報処理装置、情報処理方法及びそのプログラムに関する。
【背景技術】
【０００２】
従来、情報処理装置としては、表示画像を構成するオブジェクトを選択し、選択されたオブジェクトの画像データに基づいて表示画像の画像データとなる送信用データを生成し、生成した送信用データを表示装置へ送信する処理を行うプロジェクター装置が提案されている（例えば、特許文献１参照）。この情報処理装置では、表示画像のうち選択されたオブジェクトの画像により構成された表示画面が表示されるため、不要な画像を表示してしまうことを防ぐことができる。
【先行技術文献】
【特許文献】
【０００３】
【特許文献１】特開２０１２−７０４３３号公報
【発明の概要】
【発明が解決しようとする課題】
【０００４】
ところで、上述した特許文献１などの情報処理装置では、例えば、Ｗｅｂページなど、端末機器に情報を提供することがある。この端末機器は、例えば、携帯端末やパソコン（ＰＣ）など表示する画面サイズが異なることがあり、このような情報処理装置では、端末機器の画面サイズに応じて、表示画面のデータやＵＲＬを別々に管理するなど、提供する情報などが煩雑であった。
【０００５】
本発明は、このような課題に鑑みなされたものであり、情報を記憶する記憶容量をより抑制して情報を提供することができる情報処理装置、情報処理方法及びそのプログラムを提供することを主目的とする。
【課題を解決するための手段】
【０００６】
本発明は、上述の主目的を達成するために以下の手段を採った。
【０００７】
本発明の情報処理装置は、
端末機器へ情報を送信する送信手段と、
端末機器から情報を受信する受信手段と、
第１の画面サイズ用の第１レイアウト情報と、前記第１の画面サイズとは異なる第２の画面サイズ用の第２レイアウト情報と、文章構造を含み前記第１レイアウト情報及び前記第２レイアウト情報に共通して用いられる表示情報と、を記憶する記憶手段と、
前記表示情報を前記送信手段により前記端末機器へ送信する表示情報送信処理と、前記端末機器の画面サイズに関するサイズ情報と前記第１レイアウト情報及び前記第２レイアウト情報のいずれを適用するかを特定する特定情報とのうち少なくとも一方を含むレイアウト要求情報を前記端末機器から前記受信手段が受信すると該受信したレイアウト要求情報に基づいて前記第１レイアウト情報及び前記第２レイアウト情報のうち一方を前記送信手段により前記端末機器へ送信するレイアウト送信処理と、を実行する制御手段と、
を備えたものである。
【０００８】
この情報処理装置では、第１の画面サイズ用の第１レイアウト情報と、第１の画面サイズとは異なる第２の画面サイズ用の第２レイアウト情報と、文章構造を含み第１レイアウト情報及び第２レイアウト情報に共通して用いられる表示情報と、を記憶しており、表示情報を端末機器へ送信する表示情報送信処理を実行する。また、端末機器の画面サイズに関するサイズ情報と、第１及び第２レイアウト情報のいずれを適用するかを特定する特定情報とのうち少なくとも一方を含むレイアウト要求情報を端末機器から受信すると、この受信したレイアウト要求情報に基づいて第１及び第２レイアウト情報のうち一方を端末機器へ送信するレイアウト送信処理を実行する。即ち、端末機器の画面サイズに応じた複数のレイアウト情報を記憶すると共に、複数のレイアウト情報に共通して用いられる表示情報を記憶し、端末機器の画面サイズに応じたレイアウト情報を切り替えて端末機器へ送信する。このように、各画面サイズに応じた表示情報を記憶する必要がない。したがって、情報を記憶する記憶容量をより抑制して情報を提供することができる。ここで、第１の画面サイズは、携帯機器の画面サイズとしてもよいし、第２の画面サイズは、携帯機器よりも画面サイズの大きい固定端末の画面サイズとしてもよい。
【０００９】
本発明の情報処理装置において、前記制御手段は、前記第１レイアウト情報及び前記第２レイアウト情報のいずれを適用するかを判定させる判定要求情報を前記端末機器へ送信したのち、前記特定情報を含む前記レイアウト要求情報を前記端末機器から受信すると、該受信した特定情報に応じて前記第１レイアウト情報及び前記第２レイアウト情報のうち一方を前記端末機器へ送信するものとしてもよい。こうすれば、判定要求情報や、特定情報などを用いて、記憶容量をより抑制して情報を提供することができる。なお、前記制御手段は、前記第１の画面サイズ及び第２の画面サイズのいずれを適用するかを判定させる判定要求情報を前記端末機器へ送信したのち、前記第１の画面サイズ及び前記第２の画面サイズのいずれを適用するかに応じて前記第１レイアウト情報及び前記第２レイアウト情報のいずれを適用するかを特定する特定情報を含む前記レイアウト要求情報を前記端末機器から受信するものとしてもよい。
【００１０】
本発明の情報処理装置において、前記制御手段は、前記判定要求情報を前記表示情報と共に前記端末機器へ送信する前記表示情報送信処理を実行するものとしてもよい。こうすれば、通信頻度をより抑制しつつ、記憶容量をより抑制して情報を提供することができる。このとき、前記制御手段は、前記判定要求情報を前記表示情報に含めて前記端末機器へ送信するものとしてもよい。
【００１１】
本発明の情報処理装置において、前記制御手段は、前記端末機器の画面サイズを問い合わせる問合せ情報を前記端末機器へ送信したのち、前記サイズ情報を含む前記レイアウト要求情報を前記端末機器から受信すると、該受信したサイズ情報に基づいて前記第１レイアウト情報及び前記第２レイアウト情報のいずれを適用するかを判定し、該判定結果に応じて前記第１レイアウト情報及び前記第２レイアウト情報のうち一方を前記端末機器へ送信するものとしてもよい。こうすれば、問合せ情報やサイズ情報などを用いて、記憶容量をより抑制して情報を提供することができる。
【００１２】
本発明の情報処理装置において、前記制御手段は、クッキー情報及びマークアップ言語で記述された記述データのうち少なくとも一方を用いて前記問合せ情報を前記端末機器へ送信するものとしてもよい。こうすれば、比較的容易に問合せ情報を端末機器へ送信することができる。ここで、記述データとしては、例えば、ＨＴＭＬデータやＸＨＴＭＬデータなどが挙げられる。
【００１３】
本発明の情報処理装置において、前記記憶手段は、前記表示情報としてマークアップ言語で記述された記述データを記憶し、前記第１レイアウト情報及び前記第２レイアウト情報としてカスケーディングスタイルシートを記憶しているものとしてもよい。こうすれば、記述データとカスケーディングスタイルシートとを用いることにより、記憶容量をより抑制して情報を提供することができる。ここで、記述データとしては、例えば、ＨＴＭＬデータやＸＨＴＭＬデータなどが挙げられる。
【００１４】
本発明の情報処理装置は、画像を印刷媒体に印刷処理する印刷処理手段、を備えたものとしてもよい。印刷媒体に印刷処理する情報処理装置（印刷処理装置）は、情報を端末機器に提供することがあるため、本発明を適用する意義が高い。なお、情報処理装置としては、印刷処理装置、ＦＡＸ装置、プロジェクター装置、スキャナー装置などが挙げられる。
【００１５】
本発明の情報処理方法は、
第１の画面サイズ用の第１レイアウト情報と、前記第１の画面サイズとは異なる第２の画面サイズ用の第２レイアウト情報と、文章構造を含み前記第１レイアウト情報及び第２レイアウト情報に共通して用いられる表示情報と、を記憶する記憶手段、を備えた情報処理装置により実行される情報処理方法であって、
（ａ）前記表示情報を端末機器へ送信する表示情報送信処理を実行するステップと、
（ｂ）端末機器の画面サイズに関するサイズ情報と、前記第１レイアウト情報及び前記第２レイアウト情報のいずれを適用するかを特定する特定情報とのうち少なくとも一方を含むレイアウト要求情報を前記端末機器から受信すると該受信したレイアウト要求情報に基づいて前記第１レイアウト情報及び前記第２レイアウト情報のうち一方を前記端末機器へ送信するレイアウト送信処理を実行するステップと、
を含むものである。
【００１６】
この情報処理方法では、上述した情報処理装置と同様に、端末機器の画面サイズに応じた複数のレイアウト情報を記憶すると共に、複数のレイアウト情報に共通して用いられる表示情報を記憶し、端末機器の画面サイズに応じたレイアウト情報を切り替えて端末機器へ送信する。このように、各画面サイズに応じた表示情報を記憶する必要がない。したがって、記憶容量をより抑制して情報を提供することができる。なお、この情報処理方法において、上述した情報処理装置の種々の態様を採用してもよいし、また、上述した情報処理装置の各機能を実現するようなステップを追加してもよい。
【００１７】
本発明のプログラムは、上述した情報処理方法の各ステップを１以上のコンピューターに実現させるためのものである。このプログラムは、コンピューターが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターへ配信されてもよいし、その他どのような形で授受されてもよい。このプログラムを１つのコンピューターに実行させるか又は複数のコンピューターに各ステップを分担して実行させれば、上述した情報処理方法の各ステップが実行されるため、この方法と同様の作用効果が得られる。
【００１８】
また、本発明の情報処理システムは、
端末機器へ情報を送信する第１送信手段と、
端末機器から情報を受信する第１受信手段と、
第１の画面サイズ用の第１レイアウト情報と、前記第１の画面サイズとは異なる第２の画面サイズ用の第２レイアウト情報と、文章構造を含み前記第１レイアウト情報及び前記第２レイアウト情報に共通して用いられる表示情報と、を記憶する記憶手段と、
前記表示情報を前記第１送信手段により前記端末機器へ送信する表示情報送信処理と、前記端末機器の画面サイズに関するサイズ情報と、前記第１レイアウト情報及び前記第２レイアウト情報のいずれを適用するかを特定する特定情報とのうち少なくとも一方を含むレイアウト要求情報を前記端末機器から前記第１受信手段が受信すると該受信したレイアウト要求情報に基づいて前記第１レイアウト情報及び前記第２レイアウト情報のうち一方を前記第１送信手段により前記端末機器へ送信するレイアウト送信処理と、を実行する第１制御手段と、を備えた情報処理装置と、
画像を表示する表示手段と、
前記情報処理装置へ情報を送信する第２送信手段と、
前記情報処理装置から情報を受信する第２受信手段と、
前記レイアウト要求情報を前記第２送信手段により前記情報処理装置へ出力し、前記表示情報と、前記第１レイアウト情報及び第２レイアウト情報のうちいずれかと、を前記第２受信手段が受信すると、該受信した情報に基づいて前記表示手段に表示画面を表示させる第２制御手段と、を備えた端末機器と、
を含むものである。
【００１９】
この情報処理システムでは、上述した情報処理装置と同様に、端末機器の画面サイズに応じた複数のレイアウト情報を記憶すると共に、複数のレイアウト情報に共通して用いられる表示情報を記憶し、端末機器の画面サイズに応じたレイアウト情報を切り替えて端末機器へ送信する。このように、各画面サイズに応じた表示情報を記憶する必要がない。したがって、記憶容量をより抑制して情報を提供することができる。なお、この情報処理システムにおいて、上述した情報処理装置の種々の態様を採用してもよいし、また、上述した情報処理装置の各機能を実現するようなステップを追加してもよい。
【図面の簡単な説明】
【００２０】
【図１】情報処理システム１０の構成の概略を示す構成図。
【図２】ＷｅｂサーバーとＷｅｂブラウザーとの通信の説明図。
【図３】端末機器に送信されるＨＴＭＬデータ３３の一例の説明図。
【図４】ディスプレイ４８に表示される設定情報表示画面６０の説明図。
【図５】ディスプレイ４８に表示されるプリンター情報表示画面７０の説明図。
【図６】操作パネル５８に表示される設定情報表示画面８０の説明図。
【図７】操作パネル５８に表示されるプリンター情報表示画面９０の説明図。
【図８】サイズ情報を用いた別の通信の説明図。
【図９】サイズ情報を用いた別の通信の説明図。
【図１０】リダイレクト用ＨＴＭＬデータを用いた別の通信の説明図。
【図１１】クッキー情報を用いた別の通信の説明図。
【発明を実施するための形態】
【００２１】
次に本発明を具現化した一実施形態について説明する。図１は本発明の一実施形態である情報処理システム１０の構成の概略を示す構成図である。この情報処理システム１０は、ＬＡＮ１２に接続された情報処理装置としてのプリンター２０と、ネットワークとしてのＬＡＮ１２に接続された端末機器としてのユーザーＰＣ４０と、アクセスポイント１４を中継点としてＬＡＮ１２に接続された端末機器としての携帯機器５０とによって構成されている。なお、図１では、説明の便宜のためプリンター２０、ユーザーＰＣ４０及び携帯機器５０を各１台ずつ記載したが、特にこれに限定されず、各装置が１以上存在してもよいし、ユーザーＰＣ４０及び携帯機器５０のいずれか一方を省略してもよい。
【００２２】
プリンター２０は、装置全体の制御を司るコントローラー２１と、原稿を光学的に読み取ってイメージデータを生成するスキャナー部２５と、印刷媒体としての記録紙へ画像を印刷処理するプリンター部２６と、ＬＡＮ１２に接続された端末と情報の送受信を行うネットワークインタフェイス（Ｉ／Ｆ）２７と、ユーザへ情報を表示可能でありユーザの指示を入力可能である操作パネル２８と、を備えている。コントローラ２１は、ＣＰＵ２２を中心とするマイクロプロセッサーとして構成されており、各種処理プログラムを記憶し情報を書き込み消去可能なフラッシュメモリー２３と、一時的にデータを記憶するＲＡＭ２４と、を備えている。スキャナー部２５は、図示しないが、ガラス台上の原稿または、原稿搬送装置により搬送された原稿をコンタクトイメージセンサー（ＣＩＳ）によりイメージデータとして読み取るユニットとして構成されている。プリンター部２６は、図示しないが、各色のインクに圧力をかけ、この加圧されたインクを記録紙に吐出して印刷処理を実行するフルカラーのインクジェット方式のユニットとして構成されている。操作パネル２８は、ユーザーがプリンター２０に対して各種の指示を入力するためのデバイスであり、各種の指示に応じた文字や画像が表示される表示部や、各種操作を行う操作部が設けられている。コントローラ２１やスキャナー部２５、プリンター部２６、Ｉ／Ｆ２７及び操作パネル２８は、バスによって電気的に接続されている。
【００２３】
フラッシュメモリー２３には、第１の画面サイズ用の第１レイアウト情報としての第１カスケーディングスタイルシート（ＣＳＳ）３１や、第１の画面サイズと異なる第２の画面サイズ用の第２ＣＳＳ３２、マークアップ言語により記述された記述データであり第１ＣＳＳ３１及び第２ＣＳＳ３２に共通して用いられる表示情報としてのＨＴＭＬデータ３３、ワールドワイドウェブ（ＷＷＷ）による情報送信機能を持ったソフトウェアであるＷｅｂサーバー３６、ハードウエアの情報が格納されているユーザーエージェント３９などが記憶されている。第１ＣＳＳ３１は、文書の視覚的構造を規定するスタイルシートとして構成され、スマートフォン（ＳＭＴ）などの携帯端末の画面サイズ（例えば、長さが８００ピクセル以下）に合わせて作成されている。第２ＣＳＳ３２は、文書の視覚的構造を規定するスタイルシートとして構成され、コンピューター（ＰＣ）などの固定端末のディスプレイの画面サイズ（例えば、幅が８０１ピクセル以上）に合わせて作成されている。ＨＴＭＬデータ３３は、文章の論理構造（文章構造）を規定するデータであり、第１ＣＳＳ３１又は第２ＣＳＳ３２と組み合わされることにより、Ｗｅｂページの画面を構成する。ここでは、ＷｅｂページごとにＨＴＭＬデータ３３及び第１ＣＳＳ３１、又は、ＨＴＭＬデータ３３及び第２ＣＳＳ３２が、画面サイズに応じてそれぞれ対応付けられている。Ｗｅｂサーバー３６は、ＣＰＵ２２により実行されると、Ｗｅｂブラウザーなどのクライアントソフトウェアの要求に応じて、ＬＡＮ１２やインターネットなどのネットワークを通じて情報を送信する。プリンター２０は、Ｗｅｂサーバー３６の実行により、第１ＣＳＳ３１及び第２ＣＳＳ３２のいずれを適用するかを判定させる判定要求情報３４（後述図３参照）を端末機器へ送信する処理を実行する。また、プリンター２０は、Ｗｅｂサーバー３６の実行により、ＨＴＭＬデータ３３をＩ／Ｆ２７を介して端末機器へ送信する表示情報送信処理を実行すると共に、端末機器からのレイアウト要求情報に基づいて第１ＣＳＳ３１及び第２ＣＳＳ３２のうち一方をＩ／Ｆ２７を介して端末機器へ送信するレイアウト送信処理を実行する。ユーザーエージェント３９は、プリンター２０のハードウエアの構成や、キャリア名、ホストＯＳ名、バージョン番号などの識別文字列を格納した、いわゆるＨＴＴＰユーザーエージェントの情報である。
【００２４】
ユーザーＰＣ４０は、ユーザーが使用する端末機器として構成されたパソコンである。このユーザーＰＣ４０は、各種制御を実行するＣＰＵ４２や各種制御プログラムを記憶するフラッシュメモリー４３、データを一時記憶するＲＡＭ４４などを備えたコントローラー４１を備えている。また、ユーザーＰＣ４０は、各種アプリケーションプログラムや各種データファイルを記憶する不揮発性の大容量メモリーであるＨＤＤ４５や、ネットワークに接続された外部機器との間で信号の送受信が可能なＩ／Ｆ４７などを備えている。また、このユーザーＰＣ４０は、各種情報を表示するディスプレイ４８や、ユーザーが各種指令を入力するキーボード及びマウス等の入力装置を備えている。このユーザーＰＣ４０は、ディスプレイ４８に表示されたカーソル等をユーザーが入力装置を介して入力操作するとその入力操作に応じた動作を実行する機能を有する。コントローラー４１やＨＤＤ４５、Ｉ／Ｆ４７、ディスプレイ４８及び入力装置は、バスによって電気的に接続されている。このユーザーＰＣ４０は、インストールされたプログラムによりプリンター２０に対して印刷処理を指令したりプリンター２０の情報を表示したりする。
【００２５】
ユーザーＰＣ４０のＨＤＤ４５には、Ｗｅｂページを閲覧するためのアプリケーションソフトであるＷｅｂブラウザー４６や、ハードウエアの情報が格納されているユーザーエージェント４９などが記憶されている。Ｗｅｂブラウザー４６は、ＣＰＵ４２に実行されると、ＬＡＮ１２やインターネットなどのネットワークからＨＴＭＬデータなどをダウンロードし、ＣＳＳに格納されたレイアウトを解析して表示・再生する。このＷｅｂブラウザー４６は、ＨＴＭＬデータに格納された命令文を解釈し、それに対する応答をＷｅｂサーバーに対して実行する機能を有している。このユーザーＰＣ４０は、Ｗｅｂブラウザー４６の実行により、判定要求情報３４に対する応答である、第１ＣＳＳ３１及び第２ＣＳＳ３２のいずれを適用するかを特定する特定情報を含むレイアウト要求情報をプリンター２０へ送信する処理を実行する。ユーザーエージェント４９は、ユーザーＰＣ４０のハードウエアの構成や、キャリア名、ホストＯＳ名、バージョン番号などの識別文字列を格納した、いわゆるＨＴＴＰユーザーエージェントの情報である。このユーザーエージェント４９には、ハードウエアの構成として、ディスプレイ４８の画面サイズの情報（例えば、１２８０×１０２４ピクセル）なども格納されている。
【００２６】
携帯機器５０は、多機能携帯電話であるスマートフォンであり、各種制御を実行するコントローラー５１や、ネットワークに接続された外部機器との間で信号の送受信が可能なＩ／Ｆ５７、ユーザへ情報を表示可能でありユーザの指示を入力可能である操作パネル５８などを備えている。コントローラー５１は、ＣＰＵ５２を中心とするマイクロプロセッサーとして構成されており、各種処理プログラムを記憶し情報を書き込み消去可能なフラッシュメモリー５３と、一時的にデータを記憶したりデータを保存したりするＲＡＭ５４とを備えている。操作パネル５８は、タッチパネル式の液晶ディスプレイとして構成された表示部を備えており、ユーザーの指示をタッチ操作により入力できるようになっている。この操作パネル５８では、表示部に表示された表示画面を指でなぞる際の強さや早さ、大きさなどを変更することにより、所定の画面移行がなされるよう設定されている。フラッシュメモリー５３には、Ｗｅｂページを閲覧するためのアプリケーションソフトであるＷｅｂブラウザー５６や、ハードウエアの情報が格納されているユーザーエージェント５９などが記憶されている。このＷｅｂブラウザー５６は、Ｗｅｂブラウザー４６とその機能が同様であるものとし、その詳細な説明を省略する。ユーザーエージェント５９は、携帯機器５０のハードウエアの構成や、キャリア名、ホストＯＳ名、バージョン番号などの識別文字列を格納した、いわゆるＨＴＴＰユーザーエージェントの情報である。このユーザーエージェント５９には、ハードウエアの構成として、操作パネル５８の画面サイズの情報（例えば、４８０×８００ピクセル）なども格納されている。
【００２７】
次に、こうして構成された本実施形態の情報処理システム１０の動作について、特に、プリンター２０の情報を提供するＷｅｂページをユーザーＰＣ４０や携帯機器５０で閲覧する動作について説明する。図２は、ＷｅｂサーバーとＷｅｂブラウザーとの間で行われる通信の一例を表す説明図である。情報処理システム１０では、プリンター２０のＣＰＵ２２がＷｅｂサーバー３６を実行することによりＷｅｂサーバー側の処理を実行する。また、ユーザーＰＣ４０のＣＰＵ４２がＷｅｂブラウザー４６を実行することにより、Ｗｅｂブラウザー側の処理を実行し、携帯機器５０のＣＰＵ５２がＷｅｂブラウザー５６を実行することにより、Ｗｅｂブラウザー側の処理を実行する。ここでは、説明の便宜のため、プリンター２０とユーザーＰＣ４０との間の情報のやりとりではなく、ＷｅｂサーバーとＷｅｂブラウザーとの間の情報のやりとりとして説明する。Ｗｅｂサーバーについては、プリンター２０の印刷に関する設定情報やインクの残量などの状態情報を提供する処理をその具体例として説明する。
【００２８】
まず、Ｗｅｂブラウザーは、プリンター２０に規定されたアドレス（ＵＲＬ）に対して、ＨＴＴＰリクエストを送信する（ステップＳ１００）。このＨＴＴＰリクエストは、Ｗｅｂサーバーが提供するＷｅｂページのＨＴＭＬをＷｅｂブラウザー側へ送信する要求（ＨＴＭＬ要求）である。これを受けると、Ｗｅｂサーバーは、第１ＣＳＳ３１及び第２ＣＳＳ３２のいずれを適用するかを端末機器に判定させる情報である判定要求情報３４を格納したＨＴＭＬデータ３３をＷｅｂブラウザーへ送信する（ステップＳ２００）。即ち、ＨＴＭＬ要求に対して、表示画面を構成する情報を送信すると共に、端末機器の画面サイズによるＣＳＳの判定要求を端末機器に送信するのである。なお、図２では、ＨＴＭＬデータ３３が第１ＣＳＳ３１及び第２ＣＳＳ３２で共用されることから、ＨＴＭＬデータ３３を「ＨＴＭＬ（Ｃｏｍｍｏｎ）」と表記している。図３は、端末機器に送信されるＨＴＭＬデータ３３の一例の説明図である。このＨＴＭＬデータ３３は、そのヘッダー部分に、第１ＣＳＳ３１及び第２ＣＳＳ３２のいずれを適用するかを端末機器に判定させる情報である判定要求情報３４が格納されている。また、ＨＴＭＬデータ３３の本体部分３５には、表示画面に表示する内容の情報が記述されている。判定要求情報３４には、ユーザーＰＣ４０のＷｅｂブラウザー４６や携帯機器５０のＷｅｂブラウザー５６などで解釈及び応答が可能な命令文が記述されている（図３参照）。この判定要求情報３４には、例えば、端末機器の画面サイズの最大値が所定値以下では第１ＣＳＳ３１を適用する情報をＷｅｂサーバーへ返し、端末機器の画面サイズの最小値が所定値を超えると第２ＣＳＳ３２を適用する情報をＷｅｂサーバーへ返す命令文が記述されている。図３では、端末機器の画面サイズ（幅又は長さ）の最大値が８００ピクセル以下では第１ＣＳＳ３１を送信させる情報を返し、端末機器の画面サイズ（幅又は長さ）の最小値が８０１ピクセル以上では第２ＣＳＳ３２を送信させる情報を返す命令文が記述されている。
【００２９】
このＨＴＭＬデータ３３を受けたＷｅｂブラウザーは、判定要求情報３４を解析し、自己の画面サイズを取得して第１ＣＳＳ３１及び第２ＣＳＳ３２のいずれを適用するかを特定する（ステップＳ１１０）。画面サイズの情報は、例えば、ユーザーＰＣ４０であれば、ユーザーエージェント４９から取得することができ、携帯機器５０であれば、ユーザーエージェント５９から取得することができる。次に、Ｗｅｂブラウザーは、適用するＣＳＳを特定した特定情報を含むレイアウト要求情報をＨＴＴＰリクエストとしてＷｅｂサーバーへ送信する（ステップＳ１２０）。例えば、ユーザーＰＣ４０であれば、特定情報には第２ＣＳＳ３２を適用する情報が格納され、携帯機器５０であれば、特定情報には第１ＣＳＳ３１を適用する情報が格納されるものとする。レイアウト要求情報を含むＨＴＴＰリクエストを受信すると、Ｗｅｂサーバーは、特定情報に応じたＣＳＳをＷｅｂブラウザーへ送信する（ステップＳ２１０）。例えば、ＷｅｂブラウザーがユーザーＰＣ４０で実行された場合は、Ｗｅｂサーバーは第２ＣＳＳ３２を送信し、Ｗｅｂブラウザーが携帯機器５０で実行された場合は、Ｗｅｂサーバー３６は第１ＣＳＳ３１を送信するものとする。続いて、ＣＳＳを受信したＷｅｂブラウザーは、受信したＣＳＳと、ステップＳ２００で受信したＨＴＭＬデータ３３とを用いて、画面表示処理を実行する（ステップＳ１３０）。そして、Ｗｅｂサーバー及びＷｅｂブラウザーは、これらの処理を、Ｗｅｂ閲覧が終了するまで繰り返し行うのである。
【００３０】
図４は、ディスプレイ４８に表示される設定情報表示画面６０の説明図である。図５は、ディスプレイ４８に表示されるプリンター情報表示画面７０の説明図である。図６は、操作パネル５８に表示される設定情報表示画面８０の説明図である。図７は、操作パネル５８に表示されるプリンター情報表示画面９０の説明図である。例えば、ユーザーＰＣ４０のＷｅｂブラウザー４６が実行され、プリンター２０がＨＴＭＬ要求されたＨＴＭＬデータを送信し、ユーザーＰＣ４０からＰＣ用の第２ＣＳＳ３２を適用するレイアウト要求情報を受信すると、プリンター２０は、それに対応するＰＣ用のＣＳＳをユーザーＰＣ４０へ送信する。これを受けたユーザーＰＣ４０では、設定情報表示画面６０をディスプレイ４８に表示する。図４に示すように、ディスプレイ４８には、設定情報表示画面６０や、ユーザーが処理などを選択する際に用いるカーソル６１などが表示されている。この設定情報表示画面６０には、ＷｅｂページのＵＲＬ（アドレス）が表示入力されるアドレス入力表示欄６２と、表示する情報に対応するアイコンが配列されたアイコン表示欄６３と、選択可能な情報が配置された選択情報表示欄６４と、選択可能な情報の内容を説明する説明情報表示欄６５と、所定の処理（例えばリフレッシュ処理）を実行させる入力キー６６とが配置されている。ここでは、ディスプレイ４８の画面サイズに合わせた設定情報表示画面６０をディスプレイ４８に表示するのである。そして、選択情報表示欄６４の「Printer Information」がクリックされると、プリンター２０は、「Printer Information」に対応付けられたＨＴＭＬデータと、それに対応するＰＣ用のＣＳＳとをユーザーＰＣ４０へ送信する。これを受けたユーザーＰＣ４０では、プリンター情報表示画面７０をディスプレイ４８に表示する。図５に示すように、プリンター情報表示画面７０には、ＷｅｂページのＵＲＬが表示入力されるアドレス入力表示欄７２と、プリンターの状態情報が表示される情報表示欄７３と、所定の処理を実行させる入力キー７６と、が配置されている。例えば、更に情報表示欄７３の「Infoemation2」タブがクリックされると、プリンター２０は、それに応じたＨＴＭＬデータと、それに対応するＰＣ用のＣＳＳとをユーザーＰＣ４０へ送信するのである。
【００３１】
一方、携帯機器５０のＷｅｂブラウザー５６が実行され、プリンター２０がＨＴＭＬ要求されたＨＴＭＬデータを送信し、携帯機器５０から携帯機器用の第１ＣＳＳ３１を適用するレイアウト要求情報を受信すると、プリンター２０は、それに対応する携帯機器用のＣＳＳを携帯機器５０へ送信する。これを受けた携帯機器５０では、設定情報表示画面８０を操作パネル５８に表示する。図６に示すように、設定情報表示画面８０には、ＷｅｂページのＵＲＬが表示入力されるアドレス入力表示欄８２と、表示する情報に対応するアイコンが配列されたアイコン表示欄８３と、選択可能な情報が配置された選択情報表示欄８４と、所定の処理を実行させる入力キー８６とが配置されている。ここでは、例えば、第１ＣＳＳ３１に基づき、設定情報表示画面６０に対して、各オブジェクトのサイズを変更し、説明情報表示欄６５を省略するなどして、操作パネル５８の画面サイズに合わせた設定情報表示画面８０を操作パネル５８に表示するのである。このとき、ＨＴＭＬデータは、設定情報表示画面６０と設定情報表示画面８０とで共用されるため、フラッシュメモリー２３の記憶容量をより抑制することができ、ＨＴＭＬデータの管理が容易である。更に、ＨＴＭＬデータを共用されるため、設定情報表示画面６０と設定情報表示画面８０とは同じＵＲＬとすることができ、ＵＲＬの管理も容易である。そして、選択情報表示欄８４の「Printer Information」がタッチ操作されると、プリンター２０は、「Printer Information」に対応付けられたＨＴＭＬデータと、それに対応する携帯機器用のＣＳＳとを携帯機器５０へ送信する。これを受けた携帯機器５０では、プリンター情報表示画面９０を操作パネル５８に表示する。図７に示すように、プリンター情報表示画面９０には、ＷｅｂページのＵＲＬが表示入力されるアドレス入力表示欄９２と、プリンターの状態情報が表示される情報表示欄９３と、所定の処理を実行させる入力キー９６と、が配置されている。例えば、更に情報表示欄９３の「Infoemation2」キーがタッチ操作されると、それに応じたＨＴＭＬデータと、それに対応する携帯機器用のＣＳＳとを携帯機器５０へ送信するのである。このように、サイズが異なる画面に対して共通するＨＴＭＬデータを用い、ＣＳＳを切り分けることによって実現するのである。
【００３２】
ここで、プリンター２０がＷｅｂページを提供する場合に、端末機器のハードウエア情報を含むＨＴＴＰユーザーエージェントをプリンター２０が管理し、ＨＴＴＰユーザーエージェントを参照して、情報の提供先がＰＣなどの端末か、携帯機器であるかを判断し、異なるＵＲＬにリダイレクトさせることが一般に行われている。この場合は、ユーザーエージェント３９を逐次更新しなければならなくなり、更に、ＰＣと携帯端末とで異なるＨＴＭＬデータ及びＵＲＬでＷｅｂページを管理しなければならず、記憶容量を多く要するし、管理が煩雑である。プリンター２０では、ＰＣと携帯端末とでＨＴＭＬデータを共用するから、ＨＴＭＬデータ及びＵＲＬを単一とすることができ、記憶容量をより抑制すると共に、容易に管理することができる。また、新たな機種が多数加わっていく端末機器の情報をＨＴＴＰユーザーエージェントに追加していくという、ＨＴＴＰユーザーエージェントの保守作業をより抑制することもできる。
【００３３】
ここで、本実施形態の構成要素と本発明の構成要素との対応関係を明らかにする。本実施形態のＩ／Ｆ２７が本発明の送信手段及び受信手段に相当し、第１ＣＳＳ３１が第１レイアウト情報及びカスケーディングスタイルシートに相当し、第２ＣＳＳ３２が第２レイアウト情報及びカスケーディングスタイルシートに相当し、ＨＴＭＬデータ３３が表示情報及び記述データに相当し、コントローラー２１が制御手段に相当し、判定要求情報３４が判定要求情報に相当し、記録紙が印刷媒体に相当し、プリンター部２６が印刷処理手段に相当する。なお、本実施形態では、プリンター２０の動作を説明することにより本発明の情報処理方法の一例も明らかにしている。
【００３４】
以上詳述した本実施形態のプリンター２０によれば、携帯機器の画面サイズ用の第１ＣＳＳ３１とＰＣの画面サイズ用の第２ＣＳＳ３２と、文章構造を含み第１ＣＳＳ３１及び第２ＣＳＳ３２に共通して用いられるＨＴＭＬデータ３３（表示情報）と、をフラッシュメモリー２３に記憶しており、ＨＴＭＬデータ３３を端末機器へ送信する表示情報送信処理を実行する。また、第１ＣＳＳ３１及び第２ＣＳＳ３２のいずれを適用するかを特定する特定情報を含むレイアウト要求情報を受信すると、この受信したレイアウト要求情報に応じて第１ＣＳＳ３１及び第２ＣＳＳ３２のうち一方を端末機器へ送信するレイアウト送信処理を実行する。即ち、端末機器の画面サイズに応じた複数のＣＳＳ（レイアウト情報）を記憶すると共に、複数のＣＳＳに共通して用いられるＨＴＭＬデータを記憶し、端末機器の画面サイズに応じたＣＳＳを切り替えて端末機器へ送信する。このように、各画面サイズに応じたＨＴＭＬデータ３３を記憶する必要がない。したがって、記憶容量をより抑制して情報を提供することができる。また、複数の画面サイズでＨＴＭＬデータ３３を共用するため、複数の画面サイズがあってもＨＴＭＬデータ及びＷｅｂページのアドレスを統一することが可能であり、ＨＴＭＬデータやそのアドレスなどの管理の煩雑さをより抑制することができる。したがって、より容易な管理で情報を提供することができる。更に、複数の画面サイズでＨＴＭＬデータ３３を共用するため、複数の画面サイズがあってもＨＴＭＬデータ及びＷｅｂページのアドレスを統一することが可能であり、情報処理システムの開発効率をより高めることができ、また、品質をより安定させることができる。
【００３５】
また、第１ＣＳＳ３１及び第２ＣＳＳ３２のいずれを適用するかを判定させる判定要求情報３４を端末機器へ送信したのち、特定情報を含むレイアウト要求情報を端末機器から受信すると、受信した特定情報に応じて第１ＣＳＳ３１及び第２ＣＳＳ３２のうち一方を端末機器へ送信する。このため、判定要求情報や、特定情報などを用いて、記憶容量をより抑制して情報を提供することができる。更に、判定要求情報３４をＨＴＭＬデータ３３と共に端末機器へ送信するため、通信頻度をより抑制しつつ、記憶容量をより抑制して情報を提供することができる。更にまた、マークアップ言語で記述された記述データとしてのＨＴＭＬデータ３３とレイアウト情報としてのカスケーディングスタイルシートを記憶しているため、これらを用いることにより、記憶容量をより抑制して情報を提供することができる。そして、プリンター部２６を備えるプリンター２０は、情報を端末機器に提供することがあるため、本発明を適用する意義が高い。
【００３６】
なお、本発明は上述した実施形態に何ら限定されることはなく、本発明の技術的範囲に属する限り種々の態様で実施し得ることはいうまでもない。
【００３７】
例えば、上述した実施形態では、判定要求情報３４をＨＴＭＬデータ３３と共に端末機器へ送信するものとしたが、特にこれに限定されず、判定要求情報３４をＨＴＭＬデータと別に端末機器へ送信するものとしてもよい。こうしても、ＰＣ用と携帯機器用のＨＴＭＬデータ３３を共用するから、記憶容量をより抑制して情報を提供することができる。なお、判定要求情報３４は、ＨＴＭＬデータの送信時にＨＴＭＬデータのヘッダーに格納されるものとしてもよいし、予めＨＴＭＬデータ３３に格納されているものとしてもよい。
【００３８】
上述した実施形態では、特に説明しなかったが、端末機器が第１ＣＳＳ３１を適用するか第２ＣＳＳ３２を適用するかを特定したＣＳＳの情報を保持するものとしてもよい。こうすれば、判定要求情報３４の送信が１回で済む。また、判定要求情報３４を毎回送信して、特定情報を含むレイアウト情報を毎回取得するものとしてもよい。こうしても、ＰＣ用と携帯機器用のＨＴＭＬデータ３３を共用するから、記憶容量をより抑制して情報を提供することができる。
【００３９】
上述した実施形態では、第１ＣＳＳ３１及び第２ＣＳＳ３２のいずれかを適用するかを判定させる判定要求情報３４を用いたが、特にこれに限定されず、第１の画面サイズ及び第２の画面サイズのいずれを適用するかを判定させる判定要求情報を用いるものとしてもよい。こうしても、画面サイズに基づいて、適用するＣＳＳを特定することができる。
【００４０】
上述した実施形態では、マークアップ言語で記述されたＨＴＭＬデータ３３と第１ＣＳＳ３１及び第２ＣＳＳ３２とをフラッシュメモリー２３に記憶するものとしたが、複数のレイアウト情報と複数のレイアウト情報に共用して用いられる表示情報とによりＷｅｂページを構成するものとすれば、フラッシュメモリー２３に記憶する情報は、特にこれらに限定されない。
【００４１】
上述した実施形態では、プリンター２０が判定要求情報３４を端末機器へ送信したあとその応答である特定情報を含むレイアウト要求を受信すると、端末機器の画面サイズに応じたＣＳＳを端末機器へ送信するものとしたが、特にこれに限定されない。例えば、端末機器の画面サイズに関するサイズ情報を含むレイアウト要求情報を端末機器から受信したのち、サイズ情報に応じたＣＳＳを端末機器へ送信するものとしてもよい。図８は、サイズ情報を用いた、ＷｅｂサーバーとＷｅｂブラウザーとの間の別の通信の説明図である。以下、説明したものと同様のステップについては、同じステップ番号を付してその詳細な説明を省略する。この処理では、例えば、Ｗｅｂブラウザー（端末機器）から、端末機器の画面サイズに関するサイズ情報を含むＨＴＭＬ要求及びレイアウト要求をＨＴＴＰリクエストとしてＷｅｂサーバー（プリンター２０）へ送信する（ステップＳ３００）。サイズ情報は、ユーザーエージェント４９やユーザーエージェント５９から取得することができる。また、ＨＴＴＰリクエストのヘッダー部分に、サイズ情報を格納することができる。この要求を受けると、Ｗｅｂサーバーは、サイズ情報から端末機器の画面サイズを取得し、ＣＳＳを特定する（ステップＳ４００）。そして、Ｗｅｂサーバーは、ＨＴＭＬデータ３３をＷｅｂブラウザーへ送信すると共に（ステップＳ４１０）、特定した情報に基づいて、第１ＣＳＳ３１及び第２ＣＳＳ３２のうちいずれか一方を端末機器へ送信する（ステップＳ４２０）。そして、Ｗｅｂブラウザーは、受信したＨＴＭＬデータ３３とＣＳＳとを用いて画面表示処理を実行する（ステップＳ１３０）。こうしても、ＰＣ用と携帯機器用のＨＴＭＬデータ３３を共用するから、記憶容量をより抑制して情報を提供することができる。
【００４２】
あるいは、図９に示すように、Ｗｅｂサーバーが端末機器の画面サイズに関するサイズ情報の送信を要求し、サイズ情報を含むレイアウト要求情報を端末機器から受信したのち、サイズ情報に応じたＣＳＳを端末機器へ送信するものとしてもよい。図９は、サイズ情報を用いた、ＷｅｂサーバーとＷｅｂブラウザーとの間の別の通信の説明図である。この処理では、例えば、ＷｅｂブラウザーがＨＴＴＰリクエスト（ＨＴＭＬ要求）を送信し（ステップＳ５００）、これを受けると、Ｗｅｂサーバーは、サイズ情報の送信要求（問合せ情報）をＷｅｂブラウザーへ送信する（ステップＳ６００）。このとき、ＨＴＭＬのヘッダーに、端末機器の画面サイズを返信する旨の記述を格納し、本体部分３５にＨＴＭＬデータ３３を格納したＨＴＭＬデータをＷｅｂブラウザーへ送信するものとする。これを受けたＷｅｂブラウザーは、ヘッダーの記述を解析し、ユーザーエージェントから画面サイズの値を取得し、サイズ情報を格納したレイアウト要求情報をＷｅｂサーバーへ送信する（ステップＳ５１０）。この要求を受けると、Ｗｅｂサーバーは、サイズ情報から端末機器の画面サイズを取得し、ＣＳＳを特定する（ステップＳ４００）。そして、Ｗｅｂサーバーは、特定した情報に基づいて、第１ＣＳＳ３１及び第２ＣＳＳ３２のうちいずれか一方を端末機器へ送信する（ステップＳ６１０）。そして、Ｗｅｂブラウザーは受信したＨＴＭＬデータ３３とＣＳＳとを用いて画面表示処理を実行する（ステップＳ１３０）。こうしても、ＰＣ用と携帯機器用のＨＴＭＬデータ３３を共用するから、記憶容量をより抑制して情報を提供することができる。
【００４３】
あるいは、図１０に示すように、Ｗｅｂサーバーが端末機器の画面サイズに関するサイズ情報の送信をリダイレクト用ＨＴＭＬデータを用いて要求し、Ｇｅｔパラメーターを用いサイズ情報を含むＨＴＴＰリクエストを端末機器から受信したのち、サイズ情報に応じたＣＳＳを端末機器へ送信するものとしてもよい。図１０は、リダイレクト用ＨＴＭＬを用いた、ＷｅｂサーバーとＷｅｂブラウザーとの間の別の通信の説明図である。この処理では、例えば、ＷｅｂブラウザーがＨＴＴＰリクエスト（ＨＴＭＬ要求）を送信し（ステップＳ７００）、これを受けると、Ｗｅｂサーバーは、サイズ情報の送信要求（問合せ情報）をＷｅｂブラウザーへ送信する（ステップＳ８００）。このとき、リダイレクト用のＨＴＭＬデータにサイズ情報の送信要求を格納して送信するものとする。これを受けたＷｅｂブラウザーは、ユーザーエージェントから画面サイズの値を取得し、Ｇｅｔパラメーターを用いてサイズ情報を伝えるＨＴＴＰリクエスト（ＨＴＭＬ要求）をＷｅｂサーバーへリダイレクト（送信）する（ステップＳ７１０）。Ｇｅｔパラメーターとしては、例えば、「http://www.…/index.html?device-width=480」などの記述をＵＲＬの語尾に加えるものとしてもよい。この要求を受けると、Ｗｅｂサーバーは、サイズ情報から端末機器の画面サイズを取得し、ＣＳＳを特定する（ステップＳ４００）。そして、Ｗｅｂサーバーは、ＨＴＭＬデータ３３をＷｅｂブラウザーへ送信すると共に、特定した情報に基づいて第１ＣＳＳ３１及び第２ＣＳＳ３２のうちいずれか一方を端末機器へ送信する（ステップＳ８１０）。そして、Ｗｅｂブラウザーは受信したＨＴＭＬデータ３３とＣＳＳとを用いて画面表示処理を実行する（ステップＳ１３０）。こうしても、ＰＣ用と携帯機器用のＨＴＭＬデータ３３を共用するから記憶容量をより抑制して情報を提供することができる。また、Ｇｅｔパラメーターを用いてサイズ情報を端末機器から取得するものとしたが、特にこれに限定されず、例えば、Ｐｏｓｔパラメーターを用いてサイズ情報を端末機器から取得するものとしてもよい。
【００４４】
あるいは、図１１に示すように、Ｗｅｂサーバーが端末機器の画面サイズに関するサイズ情報の送信をリダイレクト用ＨＴＭＬデータを用いて要求し、クッキー情報を用い、サイズ情報を含むＨＴＴＰリクエストを端末機器から受信したのち、サイズ情報に応じたＣＳＳを端末機器へ送信するものとしてもよい。図１１は、サイズ情報を用いクッキー情報を用いた、ＷｅｂサーバーとＷｅｂブラウザーとの間の別の通信の説明図である。この処理では、例えば、ＷｅｂブラウザーがＨＴＴＰリクエスト（ＨＴＭＬ要求）を送信する（ステップＳ９００）。例えば、このとき、クッキー情報がないものとする。次に、これを受けたＷｅｂサーバーは、サイズ情報の送信要求（問合せ情報）をＷｅｂブラウザーへ送信する（ステップＳ１０００）。このとき、リダイレクト用のＨＴＭＬデータにサイズ情報の送信要求を格納して送信するものとする。また、クッキー情報がない場合には、スクリプトでブラウザーにクッキーを書き込み、リダイレクトさせるものとする。これを受けたＷｅｂブラウザーは、ユーザーエージェントから画面サイズの値を取得しクッキー情報にこの画面サイズの値を書き込み、サイズ情報を伝えるＨＴＴＰリクエスト（ＨＴＭＬ要求）をＷｅｂサーバーへリダイレクト（送信）する（ステップＳ９１０）。この要求を受けると、Ｗｅｂサーバーは、サイズ情報から端末機器の画面サイズを取得し、ＣＳＳを特定する（ステップＳ４００）。そして、Ｗｅｂサーバーは、ＨＴＭＬデータをＷｅｂブラウザーへ送信すると共に、特定した情報に基づいて第１ＣＳＳ３１及び第２ＣＳＳ３２のうちいずれか一方を端末機器へ送信する（ステップＳ１０１０）。そして、Ｗｅｂブラウザーは受信したＨＴＭＬデータ３３とＣＳＳとを用いて画面表示処理を実行する（ステップＳ１３０）。こうしても、ＰＣ用と携帯機器用のＨＴＭＬデータ３３を共用するから、記憶容量をより抑制して情報を提供することができる。
【００４５】
上述した実施形態では、端末機器の画面サイズに関するサイズ情報を、画面のピクセル数として説明したが、特にこれに限定されない。例えば、端末機器が、縦長の画面であるか、横長の画面であるかに基づいて、適用するＣＳＳを特定するものとしてもよい。また、画面の長さ又は幅のピクセル数のほか、長さ×幅の総ピクセル数をサイズ情報としてもよい。
【００４６】
上述した実施形態では、ＰＣ用の画面サイズと、携帯端末用の画面サイズとの２種類のＣＳＳを記憶して、端末機器へ情報を提供するものとして説明したが、特にこれに限定されず、３種類以上の画面サイズのＣＳＳを記憶して、端末機器へ情報を提供するものとしてもよい。こうすれば、より、多種の端末機器へ、より適した情報を提供することができる。
【００４７】
上述した実施形態では、記述データとしてＨＴＭＬデータを用いるものとしたが、これに限定されず、例えば、マークアップ言語の記述データとして、ＸＨＴＭＬデータなどを用いるものとしてもよい。
【００４８】
上述した実施形態では、ＨＴＭＬデータ３３を送信する表示情報送信処理を実行したのちに、ＣＳＳを送信するレイアウト送信処理を実行するものとしたが、例えばサイズ情報を取得する場合などには、表示情報送信処理及びレイアウト送信処理の実行順はどちらを先に行ってもよい。
【００４９】
上述した実施形態では、ＬＡＮ１２にプリンター２０やユーザーＰＣ４０が接続した情報処理システム１０として説明したが、通信の形態は特にＬＡＮ１２に限定されず、例えば、赤外線通信やアドホックモードなどの１対１の通信としてもよいし、無線ＬＡＮや、Ｗｉ−Ｆｉなどの無線通信としてもよいし、インターネットとしてもよい。
【００５０】
上述した実施形態では。本発明をスキャナー部２５及びプリンター部２６を備えたマルチファンクションプリンターに構成されたプリンター２０として説明したが、スキャナー部２５を省略したプリンターとしてもよい。また、プリンター部２６は、カラープリンター機構としたが、特にこれに限定されず、モノクロプリンターとしてもよい。更に、上述した実施形態では、プリンター２０として説明したが、Ｗｅｂページを提供する装置であれば特にこれに限定されず、例えば、ＦＡＸ装置、プロジェクター装置、スキャナー装置などに適用することができる。また、端末機器としては、例えば、固定式のデスクトップ型や携帯式のノート型などのサーバやワークステーションを含むコンピュータ類、テレビやビデオ、ＨＤＤレコーダ、ＤＶＤプレーヤ、フォトビューアなどの映像機器類、デジタルカメラ、デジタルビデオ、スキャナーなどの画像処理機器類、固定電話や携帯電話などの通信機器類、固定式または携帯式のゲーム機器類などが挙げられる。これら、端末機器として挙げた機器を本発明の情報処理装置としてもよい。更にまた、上述した実施形態では、プリンター２０として説明したが、情報処理方法としてもよいし、この方法を実行するプログラムとしてもよいし、情報処理装置と端末装置とを備えた情報処理システムとしてもよい。
【符号の説明】
【００５１】
１０  情報処理システム、１２  ＬＡＮ、１４  アクセスポイント、２０  プリンター、２１  コントローラー、２２  ＣＰＵ、２３  フラッシュメモリー、２４  ＲＡＭ、２５  スキャナー部、２６  プリンター部、２７  ネットワークインターフェイス（Ｉ／Ｆ）、２８  操作パネル、３１  第１カスケーディングスタイルシート（ＣＳＳ）、３２  第２ＣＳＳ、３３  ＨＴＭＬデータ、３４  判定要求情報、３５  本体部分、３６  Ｗｅｂサーバー、３９  ユーザーエージェント、４０  ユーザーＰＣ、４１  コントローラー、４２  ＣＰＵ、４３  フラッシュメモリー、４４  ＲＡＭ、４５  ＨＤＤ、４６  Ｗｅｂブラウザー、４７  Ｉ／Ｆ、４８  ディスプレイ、４９  ユーザーエージェント、５０  携帯機器、５１  コントローラー、５２  ＣＰＵ、５３  フラッシュメモリー、５４  ＲＡＭ、５６  Ｗｅｂブラウザー、５７  Ｉ／Ｆ、５８  操作パネル、５９  ユーザーエージェント、６０  設定情報表示画面、６１  カーソル、６２  アドレス入力表示欄、６３  アイコン表示欄、６４  選択情報表示欄、６５  説明情報表示欄、６６  入力キー、７０  プリンター情報表示画面、７２  アドレス入力表示欄、７３  情報表示欄、７６  入力キー、８０  設定情報表示画面、８２  アドレス入力表示欄、８３  アイコン表示欄、８４  選択情報表示欄、８６  入力キー、９０  プリンター情報表示画面、９２  アドレス入力表示欄、９３  情報表示欄、９６  入力キー。
【図１】
2014035555.tif 000003
【図２】
2014035555.tif 000004
【図３】
2014035555.tif 000005
【図８】
2014035555.tif 000006
【図９】
2014035555.tif 000007
【図１０】
2014035555.tif 000008
【図１１】
2014035555.tif 000009
【図４】
2014035555.tif 000010
【図５】
2014035555.tif 000011
【図６】
2014035555.tif 000012
【図７】
2014035555.tif 000013